(57)【要約】      （修正有）【課題】進歩的で新規な漏出構造を有するＰＤ線、並びに。ＰＤ接合やＰＤ溶接やＰＤ治療やＰＤ照明やＰＤ化学反応やＰＤ信号機などに応用出来る連珠ＰＤ線を提供する。【解決手段】連珠ＰＤ線４００は、曲面形状を有する連珠部４１０を有し、この曲面形状により、ＰＤ伝送部においてＰＤ線内を全反射を繰り返して伝送されて来た光線の一部についてＰＤ線内での入射角を変えることが出来る。【選択図】図１
2020003544.tif 000002
【特許請求の範囲】
【請求項１】
本発明の連珠ＰＤ線において、連珠部位は曲面の形状している。この曲面は、ＰＤ伝送部においてＰＤ線内を全反射を繰り返して伝送されて来た光線の一部についてＰＤ線内での入射角を変えることが出来る構造に特徴を有する連珠ＰＤ線の構造。（特徴１）
【請求項２】
当該の連珠部は、図に示すように曲面に入射した光線は曲面の特性によって、入射ポイントでの入射角は、伝送部の入射角より小さくなっている。このように入射角が小さくなると反射しないで入射した光線はＰＤ線外に漏出する（出る）構造を成り立たせる。この漏出する構造をＰＤ線の放散部に用いて、漏出された光線はＰＤ線外周囲の気体ならびに液体ならびに固体ならびに細胞などに照射されて除菌殺菌や焼灼や温熱加熱や温熱刺激や加熱溶融や細胞の活性化や化学反応の促進や化学反応における変異の誘因やＰＤ接合やＰＤ溶接などに有効に利用される構造であって、請求項１に記載の連珠ＰＤ線の構造。（特徴２）
【請求項３】
所望する有効な利用を果たす光線は、レーザー光線においては反応し加熱溶融ならびに焼灼ならびにＰＤ化学反応の促進および変異の誘因など、また、赤外線波長域（遠赤外線域も含む）の光線は、加熱溶融ならびに焼灼ならびに温熱加熱および温熱刺激およ細胞の活性化など、また、紫外線波長域（被爆する可能性のある紫外線Ｖも含む）の光線は、除菌ならびに殺菌ならびにＰＤ化学反応の促進および変異の誘因ならびに一時的な延命ならびに”毒をもって征すが如き”など、また、可視光線においては、各種照明ならびに各種のバックライトの構築ならびに電飾ならびに注意喚起による危険回避などに有効利用される構造であって、請求項１より２のいずれかに記載の連珠ＰＤ線の構造。（特徴３）
【請求項４】
連珠状のＰＤ線の材質は、有色透明あるいは無色透明の石英ガラスやＢＫ７や合成樹脂や、フッ化カルシウムおよびフッ化マグネシウムなど光線を伝送出来る材質である構造であって、請求項１より３のいずれかに記載の連珠ＰＤ線の構造。（特徴４）
【請求項５】
当該連珠部の他に針状のくぼみや目荒しを併用して、光線の漏出を行う構造であって、請求項１より４のいずれかに記載の連珠ＰＤ線の構造。（特徴６）
【請求項６】
当該連珠ＰＤ線は、１本の両端に一対のＰＤ端子を配備したり、片端のみにＰＤ端子を配備し、残りの端は開放される構造であって、請求項１より５のいずれかに記載の連珠ＰＤ線の構造。（特徴７）
【請求項７】
従来のＰＤ線と容易に代用されて従来のＰＤ治療やＰＤ照明やＰＤ接合などの手段に組み込まれて利用される構造であって、請求項１より６のいずれかに記載の連珠ＰＤ線の構造。（特徴８）
【請求項８】
この連珠ＰＤ線が組み込まれる製品群は、本シリーズである、特許文献１より９に記述されている全ての製品群であることは当然であって、記述されていない連珠ＰＤ線を搭載出来る全ての広範な製品群であって、請求項１より７のいずれかに記載の連珠ＰＤ線応用製品群。（特徴１０）
【発明の詳細な説明】
【技術分野】
【０００１】
本発明は、ＰＤ線内において全反射を繰り返して伝送される光線の一部をＰＤ線外に漏出させる手段を講じたＰＤ線の構造に関する。
【０００２】
さらに、本シリーズである全特許文献に使用する全ＰＤ線に代わり、当該の連珠ＰＤ線を使用する当該全シリーズに記載している全記述内容と全請求項に関する。
【０００３】
さらに、連珠ＰＤ線の構造と従来技術のＰＤ線に用いられている針状の凹みを手段とした当該の漏出手段を併用する連珠ＰＤ線に関する。
【０００４】
さらに、代用した連珠ＰＤ線を搭載する本シリーズ特許文献１より９に記載の信号機や玩具や車載などの製品群と電飾などの構造の全てに関する。
【０００５】
なお、
連珠ＰＤ線あるいはＰＤ信号機あるいはＰＤセルフ製造法あるいはＰＤバックライトあるいはＰＤ除菌フィルターあるいはＰＤ溶接あるいはＰＤ接合あるいはＰＤＯＣＪ方式あるいはＰＤ継手あるいはＰＤ部品あるいはスポットＰＤ接合やＰＤ映像やＰＤ治療やＰＤ映像やＰＤ照明やＰＤ線やＰＤ端子やＰＤ玩具やＰＤ道具やＰＤ殺菌除菌やＰＤシートやＰＤ化学反応などに使用するＰＤの２文字は、  Ｐｒｅｓｅｎｔ  Ｄｒｅａｍ  Ｏｕｒ  Ｃｈｉｌｄｒｅｎ  ａｌｌ-ｏｖｅｒ  Ｊａｐａｎ   より命名した。  代表的な名称の由来です（非特許文献１を参照ください）。
【背景技術】
【０００６】
従来技術におけるＰＤ線は、針状の凹みや目荒しを施して、ＰＤ線内を伝送してくる光線に乱反射を誘発させて、光線の一部をＰＤ線外に漏出させていた。また、他の漏出手段は見当たらない。
【先行技術文献】
【特許文献】
【０００７】
【特許文献１】特願２０１７−０９２０５９  始まり
【特許文献２】特願２０１７−１００４３７  追加
【特許文献３】特願２０１７−１１５５１８  追加２
【特許文献４】特願２０１７−１４３１４１  追加３
【特許文献５】特願２０１７−２０３００６  追加４
【特許文献６】特願２０１７−２０８６９８  追加５
【特許文献７】特願２０１８−０００９０１  追加６
【特許文献８】特願２０１８ー０８７９３０  追加７
【特許文献９】特願２０１８−１２０３１０    ＰＤ８
【非特許文献】
【０００８】
【非特許文献１】商標登録第４１８５４２６号
【発明の概要】
【発明が解決しようとする課題】
【０００９】
背景技術を鑑みて、ＰＤ線内を全反射を繰り返して伝送されてくる光線の一部をどのようにして線外に漏出させるのかを模索して、進歩的で新規な漏出構造の創出と当該構造を有する新たなＰＤ線の創出を課題とする。また、創出したＰＤ線の応用例を模索して各種の技術や製品群に展開させることを課題とする。
【課題を解決するための手段】
【００１０】
ＰＤ接合やＰＤ溶接やＰＤ治療やＰＤ照明などに応用出来る構造的な形態を有する連珠ＰＤ線を課題解決の手段とする。
【発明の効果】
【００１１】
本発明の連珠ＰＤ線は、従来技術の各種形態を有するＰＤ線の代用品として即時容易に代用が出来る。したがって、従来のＰＤ線を搭載のＰＤ治療やＰＤ照明やＰＤ接合やＰＤ溶接などの構造的な形態に容易に対応応用が出来た。さらに、当該の構造的な形態を有する各種製品群の全てに容易に対応応用が出来た。
【００１２】
したがって、ＰＤ化学反応の変異を促したり、反応の促進が図れて、新薬ならびに新薬品の開発を推し進めて、曽孫や玄孫達と共に健やかな人生を満喫出来る様な日本国に出来た。さらに、新たな産業や新たな技術の創出に寄与して、海外展開を推し進めて日本国の経済を発展させることが可能となった。
【図面の簡単な説明】
【００１３】
【図１】連珠ＰＤ線の全体図  正面図および平面図および側面図  （一部断面表示あり）
【図２】連珠部の光軸表示と漏出原理説明図
【図３】針状の凹みを併用した連珠ＰＤ線全体図  正面図および平面図および側面図  （一部断面表示あり）
【発明を実施するための形態】
【００１４】
本発明の連珠ＰＤ線において、連珠部位は曲面の形状している。この曲面は、ＰＤ伝送部においてＰＤ線内を全反射を繰り返して伝送されて来た光線の一部についてＰＤ線内での入射角を変えることが出来る構造に特徴を有する形態をしている。（特徴１）
【００１５】
当該の連珠部は、図に示すように曲面に入射した光線は曲面の特性によって、入射ポイントでの入射角は、伝送部の入射角より小さくなっている。このように入射角が小さくなると反射しないで入射した光線はＰＤ線外に漏出する（出る）構造を成り立たせる。この漏出する構造をＰＤ線の放散部に用いて、漏出された光線はＰＤ線外周囲の気体ならびに液体ならびに固体ならびに細胞などに照射されて除菌殺菌や焼灼や温熱加熱や温熱刺激や加熱溶融や細胞の活性化や化学反応の促進や化学反応における変異の誘因やＰＤ接合やＰＤ溶接などに有効に利用される構造に特徴を有する形態をしている。（特徴２）
【００１６】
また、所望する有効な利用を果たす光線は、レーザー光線においては反応し加熱溶融ならびに焼灼ならびにＰＤ化学反応の促進および変異の誘因など、また、赤外線波長域（遠赤外線域も含む）の光線は、加熱溶融ならびに焼灼ならびに温熱加熱および温熱刺激およ細胞の活性化など、また、紫外線波長域（被爆する可能性のある紫外線Ｖも含む）の光線は、除菌ならびに殺菌ならびにＰＤ化学反応の促進および変異の誘因ならびに一時的な延命ならびに”毒をもって征すが如き”など、また、可視光線においては、各種照明ならびに各種のバックライトの構築ならびに電飾ならびに注意喚起による危険回避などに有効利用される構造に特徴を有する形態をしている。（特徴３）
【００１７】
また、連珠状のＰＤ線の材質は、有色透明あるいは無色透明の石英ガラスやＢＫ７や合成樹脂や、フッ化カルシウムおよびフッ化マグネシウムなど光線を伝送出来る材質である構造に特徴を有する形態をしている。（特徴４）
【００１８】
また、特にＰＤ医療においては、全長は数メートルのＰＤ線を使用し、一度きりの使い切りであるので、性能は必須ですが安価であることも必須である特徴を有する形態をしている。（特徴５）
【００１９】
また、当該連珠部の他に針状のくぼみや目荒しを併用して、光線の漏出を行う構造に特徴を有する形態をしている。（特徴６）
【００２０】
さらに、当該連珠ＰＤ線は、１本の両端に一対のＰＤ端子を配備したり、片端のみにＰＤ端子を配備し、残りの端は開放される構造に特徴を有する形態をしている。（特徴７）
【００２１】
さらに、従来のＰＤ線と容易に代用されて従来のＰＤ治療やＰＤ照明やＰＤ接合などの手段に組み込まれて利用される構造に特徴を有する形態をしている。（特徴８）
【００２２】
さらに、従来のＰＤ線と容易に代用されて、ＰＤフィルターやＰＤ信号機や照明器具などに搭載されて、新しい形態を組み込んだ各種製品群を創出する構造に特徴を有する形態をしている。（特徴９）
【００２３】
この連珠ＰＤ線が組み込まれる製品群は、本シリーズである、特許文献１より８に記述されている全ての製品群である広範な特徴を有する形態をしている。（特徴１０）
【実施例】
【００２４】
本発明の連珠ＰＤ線について実施例で説明します。図面は、図１の連珠ＰＤ線の全体図  正面図および平面図および側面図  （一部断面表示あり）と図２の連珠部の光軸表示と漏出原理説明図と図３の針状の凹みを併用した連珠ＰＤ線全体図  正面図および平面図および側面図  （一部断面表示あり）です。図１の連珠ＰＤ線の全体図の各図には４００の連珠ＰＤ線が図示しています。一部連珠部をのみを切断して図示しています。４１０は連珠部でありＰＤ線のＰＤ伝送部より口径の大きな球状やいびつな球状の形状をしている。また、図３には本発明の連珠の他に針状の凹みや目荒しをＰＤ伝送部に施して連珠部と併用して、ＰＤ線外へ光線を漏出させる。
【００２５】
つぎに、本発明の連珠ＰＤ線４００において、連珠部４１０は曲面の形状している。この曲面は、ＰＤ伝送部においてＰＤ線内を全反射を繰り返して伝送されて来た光線の一部についてＰＤ線内での入射角を変えることが出来る構造に特徴を有する連珠ＰＤ線の構造をしている。（特徴１）
【００２６】
次に図２の連珠部の光軸表示と漏出原理説明図について、また、図中の角度は作図して実測した数値です。ずの左側より右に進む光軸ＷはＰＤ伝送部の内面で全反射して、右方向に伝送していく。そのときの入射角は６５度の角度を有している。つぎに、光軸Ｚは、図の左より進んできて、連珠部４１０の底部の内面に入射する。そのポイントにおける４１０の曲面に接線ａを描き、入射ポイント上で接線に法線ｂを立てて、角度を測定してみたところ、５３度であった。ここで、前記の角度６３度を臨界角と仮定すると、５３度では全反射せずにＰＤ線外へ出てて出た光線Ｌとなってしまいます。２本記入しているのはＰＤ線外の周囲を囲む物がＰＤ線より屈折率が大きいか小さいかできまります。また、光軸Ｚの周囲の光軸であっても、同様な状況にあります。このような原理をＰＤ線外へ一部の光線を漏出させる手段です。
【００２７】
ここで、漏出する光線量の調整は、４１０の曲面の曲率半径や半径の大きさおよび４１０部の口径の大きさの調整と４１０を配置する間隔を調整して漏出を調節する構造に特徴を有している。（特徴１５）
【００２８】
ここで、当該の連珠部は、図に示すように曲面に入射した光線は曲面の特性によって、入射ポイントでの入射角は、伝送部の入射角より小さくなっている。このように入射角が小さくなると反射しないで入射した光線はＰＤ線外に漏出する（出る）構造を成り立たせる。この漏出する構造をＰＤ線の放散部に用いて、漏出された光線はＰＤ線外周囲の気体ならびに液体ならびに固体ならびに細胞などに照射されて除菌殺菌や焼灼や温熱加熱や温熱刺激や加熱溶融や細胞の活性化や化学反応の促進や化学反応における変異の誘因やＰＤ接合やＰＤ溶接などに有効に利用される構造に特徴を有している。（特徴２）
【００２９】
また、所望する有効な利用を果たす光線は、レーザー光線においては反応し加熱溶融ならびに焼灼ならびにＰＤ化学反応の促進および変異の誘因など、また、赤外線波長域（遠赤外線域も含む）の光線は、加熱溶融ならびに焼灼ならびに温熱加熱および温熱刺激およ細胞の活性化など、また、紫外線波長域（被爆する可能性のある紫外線Ｖも含む）の光線は、除菌ならびに殺菌ならびにＰＤ化学反応の促進および変異の誘因ならびに一時的な延命ならびに”毒をもって征すが如き”など、また、可視光線においては、各種照明ならびに各種のバックライトの構築ならびに電飾ならびに注意喚起による危険回避などに有効利用される構造に特徴を有している。（特徴３）
【００３０】
また、連珠状のＰＤ線の材質は、有色透明あるいは無色透明の石英ガラスやＢＫ７や合成樹脂や、フッ化カルシウムおよびフッ化マグネシウムなど光線を伝送出来る材質である構造に特徴を有している。（特徴４）
【００３１】
また、特にＰＤ医療においては、全長は数メートルのＰＤ線を使用し、一度きりの使い切りであるので、性能は必須ですが安価であることも必須である特徴を有している。（特徴５）
【００３２】
また、図３に図示している凹みや目荒しを併用して、当該連珠部の他に先行文献９のＰＤ８に記述している３６０の針状のくぼみや目荒しを併用して、光線の漏出を行う構造に特徴を有している。（特徴６）
【００３３】
さらに、当該連珠ＰＤ線は、１本の両端に一対のＰＤ端子を配備したり、片端のみにＰＤ端子を配備し、残りの端は開放される構造に特徴を有している。（特徴７）
【００３４】
さらに、従来のＰＤ線と容易に代用されて従来のＰＤ治療やＰＤ照明やＰＤ接合などの手段に組み込まれて利用される構造に特徴を有している。（特徴８）
【００３５】
さらに、従来のＰＤ線と容易に代用されて、ＰＤフィルターやＰＤ信号機や照明器具などに搭載されて、新しい形態を組み込んだ各種製品群を創出する構造に特徴を有している。（特徴９）
【００３６】
この連珠ＰＤ線が組み込まれる製品群は、本シリーズである、特許文献１より９に記述されている全ての製品群である広範な特徴を有している。（特徴１０）
【産業上の利用可能性】
【００３７】
現在の所、ＰＤ線を使用して、その漏出する光線を利用するＰＤ方式は、進歩的であり、従来技術では創出することができなかった新たな技術や製品群を数多く創出して、技術の進歩に寄与している。また、当業者の発明を促す刺激になれば産業が発展する。
【００３８】
特に期待しているのは、ＰＤ化学反応が、未知の世界であり、化学反応の変異を起こせれば、世界産業ならびに世界経済のトップを走れるのです。また、新薬の開発により、ＰＤ治療と併用して、曽孫や玄孫と健やかな老後を過ごせる日本になれば産業の発展とともにに幸せな国を創れる。
【符号の説明】
【００３９】
３６０  凹みや目荒し
４００  連珠ＰＤ線
４１０  連珠部
Ｌ  出た光軸Ｌ
Ｗ  光軸Ｗ
Ｚ  光軸Ｚ
ａ  接線
ｂ  法線ｂ
ｃ  法線ｃ
【図１】
2020003544.tif 000003
【図２】
2020003544.tif 000004
【図３】
2020003544.tif 000005